(57)【要約】【課題】より確実にバキュームブレーカによって流路内の水を排出できる衛生洗浄装置を提供する。【解決手段】人体局部を洗浄する局部洗浄ノズルと、前記局部洗浄ノズルを支持するノズル支持部と、前記局部洗浄ノズルの水抜きを促進するバキュームブレーカと、を備え、前記バキュームブレーカは、前記ノズル支持部に一体的に取り付けられていることを特徴とする衛生洗浄装置。【選択図】図３
2020117921.tif 000002
【特許請求の範囲】
【請求項１】
人体局部を洗浄する局部洗浄ノズルと、
前記局部洗浄ノズルを支持するノズル支持部と、
前記局部洗浄ノズルの水抜きを促進するバキュームブレーカと、
を備え、
前記バキュームブレーカは、前記ノズル支持部に一体的に取り付けられていることを特徴とする衛生洗浄装置。
【請求項２】
前記局部洗浄ノズルを駆動させるモータと、前記モータの振動を抑制する防振部材と、をさらに備え、
前記モータ及び前記防振部材は、前記ノズル支持部に一体的に取付けられていることを特徴とする請求項１記載の衛生洗浄装置。
【請求項３】
前記局部洗浄ノズルに水を供給する電磁ポンプをさらに備え、
前記電磁ポンプは、前記ノズル支持部に一体的に取付けられていることを特徴とする請求項２記載の衛生洗浄装置。
【請求項４】
前記バキュームブレーカと接続され、機能水を生成する電解槽ユニットをさらに備え、
前記電解槽ユニットは、前記バキュームブレーカに前記機能水を供給するための出水部を有し、
前記バキュームブレーカは、フロート部と、シート部と、を有し、
前記シート部は、前記フロート部の下面に当接してシート面を形成するリブと、前記リブの一部が切り欠かれた切り欠き部と、を有し、
前記シート面は、前記出水部の下端よりも低い位置に設けられていることを特徴とする請求項１〜３のいずれか１つに記載の衛生洗浄装置。
【発明の詳細な説明】
【技術分野】
【０００１】
本発明の態様は、一般的に、衛生洗浄装置に関する。
【背景技術】
【０００２】
局部洗浄ノズル（以下、単に「ノズル」とも称する）に水を供給する流路を衛生的に保つために、流路上にバキュームブレーカを設け、局部洗浄後に流路内に残った水を排出する衛生洗浄装置が知られている。バキュームブレーカは、流路内に空気を取り込み、ノズルの吐水口から流路内の水を排出する。流路内の水は、バキュームブレーカの空気を取り込む箇所とノズルの吐水口との間の高低差による位置エネルギーの差（ヘッド圧）によって排出される。
【先行技術文献】
【特許文献】
【０００３】
【特許文献１】特許第４２４３４６５号公報
【発明の概要】
【発明が解決しようとする課題】
【０００４】
従来の衛生洗浄装置において、バキュームブレーカとノズルとは別々に固定されている。そのため、バキュームブレーカやノズルの位置がずれることなどによって、バキュームブレーカの空気を取り込む箇所とノズルの吐水口との間の高低差が小さくなる場合がある。バキュームブレーカの空気を取り込む箇所とノズルの吐水口との間の高低差が小さくなると、流路内の水を排出するのに十分なヘッド圧が確保できなくなり、流路内の水が排出されにくくなるという課題がある。
【０００５】
本発明は、かかる課題の認識に基づいてなされたものであり、より確実にバキュームブレーカによって流路内の水を排出できる衛生洗浄装置を提供することを目的とする。
【課題を解決するための手段】
【０００６】
第１の発明は、人体局部を洗浄する局部洗浄ノズルと、前記局部洗浄ノズルを支持するノズル支持部と、前記局部洗浄ノズルの水抜きを促進するバキュームブレーカと、を備え、前記バキュームブレーカは、前記ノズル支持部に一体的に取り付けられていることを特徴とする衛生洗浄装置である。
【０００７】
この衛生洗浄装置によれば、バキュームブレーカをノズル支持部に一体的に取り付けることで、バキュームブレーカの空気を取り込む箇所と局部洗浄ノズルの吐水口との間の高低差を一定に保つことができる。これにより、流路内の水を排出するのに十分なヘッド圧を確保して、バキュームブレーカの水抜き性能を安定させることができ、より確実に流路内の水を排出することができる。
【０００８】
第２の発明は、第１の発明において、前記局部洗浄ノズルを駆動させるモータと、前記モータの振動を抑制する防振部材と、をさらに備え、前記モータ及び前記防振部材は、前記ノズル支持部に一体的に取付けられていることを特徴とする衛生洗浄装置である。
【０００９】
この衛生洗浄装置によれば、バキュームブレーカが取り付けられたノズル支持部に、モータ及び防振部材を一体的に取付けることで、防振部材にかかる質量が大きくなり、防振部材による防振性能を向上させることができる。これにより、防振部材によって局部洗浄ノズルの駆動に伴うモータの騒音を抑制することができる。また、モータの振動がバキュームブレーカに伝わることで、バキュームブレーカによる流路内の水の排出を促進させることができる。これにより、より確実に流路内の水を排出することができる。
【００１０】
第３の発明は、第２の発明において、前記局部洗浄ノズルに水を供給する電磁ポンプをさらに備え、前記電磁ポンプは、前記ノズル支持部に一体的に取付けられていることを特徴とする衛生洗浄装置である。
【００１１】
この衛生洗浄装置によれば、防振部材が取り付けられたノズル支持部に電磁ポンプを一体的に取付けることで、防振部材によって吐水時の騒音を抑制することができる。また、電磁ポンプの振動がバキュームブレーカに伝わることで、バキュームブレーカによる流路内の水の排出をさらに促進させることができる。これにより、より確実に流路内の水を排出することができる。
【００１２】
第４の発明は、第１〜第３のいずれか１つの発明において、前記バキュームブレーカと接続され、機能水を生成する電解槽ユニットをさらに備え、前記電解槽ユニットは、前記バキュームブレーカに前記機能水を供給するための出水部を有し、前記バキュームブレーカは、フロート部と、シート部と、を有し、前記シート部は、前記フロート部の下面に当接してシート面を形成するリブと、前記リブの一部が切り欠かれた切り欠き部と、を有し、前記シート面は、前記出水部の下端よりも低い位置に設けられていることを特徴とする衛生洗浄装置である。
【００１３】
この衛生洗浄装置によれば、バキュームブレーカのシート面を、電解槽ユニットの出水部の下端よりも低い位置に設けることで、バキュームブレーカよりも下流側の流路内に残った水だけでなく、バキュームブレーカの上流側に設けられた電解槽ユニット内に残った水も排出することができる。これにより、流路をより衛生的に保つことができるとともに、電解槽ユニットにおけるスケールの発生を抑制し、スケールによる流路の閉塞を抑制することができる。また、バキュームブレーカを低い位置に設けることで、ケーシングの上下方向の長さを小さくすることができる。すなわち、衛生洗浄装置をより低シルエット化することができる。
【発明の効果】
【００１４】
本発明の態様によれば、より確実にバキュームブレーカによって流路内の水を排出できる衛生洗浄装置が提供される。
【図面の簡単な説明】
【００１５】
【図１】実施形態に係る衛生洗浄装置を備えたトイレ装置を模式的に表す斜視図である。
【図２】実施形態に係る衛生洗浄装置の要部構成を模式的に表すブロック図である。
【図３】実施形態に係る衛生洗浄装置の局部洗浄ノズル周辺を模式的に表す斜視図である。
【図４】実施形態に係る衛生洗浄装置の局部洗浄ノズル周辺を模式的に表す平面図である。
【図５】実施形態に係る衛生洗浄装置のバキュームブレーカを模式的に表す分解斜視図である。
【図６】実施形態に係る衛生洗浄装置のバキュームブレーカ及び電解槽ユニットを模式的に表す斜視図である。
【図７】実施形態に係る衛生洗浄装置のバキュームブレーカ及び電解槽ユニットを模式的に表す断面図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、実施形態に係る衛生洗浄装置を備えたトイレ装置を模式的に表す斜視図である。  
図１に表したように、トイレ装置は、腰掛大便器（便器）８００と、その上に設置された衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００１７】
ケーシング４００は、ケースプレートと、ケースカバーと、を有する。ケースプレートは、ケーシング４００の下部に位置し、ケースカバーは、ケーシング４００の上部に位置する。各機能部は、ケースプレートとケースカバーとの間の空間に収納されている。
【００１８】
ケーシング４００の内部には、便座２００に座った使用者の「おしり」などの局部の洗浄を実現する局部洗浄機能部などが内蔵されている。局部洗浄機能部は、例えば、ノズルユニットを含む。また、例えばケーシング４００には、使用者の便座２００への着座を検知する着座検知センサ４０４が設けられている。着座検知センサ４０４が便座２００に座った使用者を検知している場合において、使用者が例えばリモコンなどの操作部５００（図２参照）を操作すると、局部洗浄ノズル（ノズル）４７３を便器８００のボウル８０１内に進出させたり、ボウル８０１内から後退させたりすることができる。なお、図１に表した衛生洗浄装置１００では、ノズル４７３がボウル８０１内に進出した状態を表している。
【００１９】
ノズル４７３は、人体局部に向けて水（洗浄水）を吐出し、人体局部の洗浄を行う。ノズル４７３の先端部には、おしり洗浄吐水口４７４ａ、やわらか洗浄吐水口４７４ｂ、及びビデ洗浄吐水口４７４ｃが設けられている。ノズル４７３は、その先端に設けられたおしり洗浄吐水口４７４ａまたはやわらか洗浄吐水口４７４ｂから水を噴射して、便座２００に座った使用者の「おしり」を洗浄することができる。あるいは、ノズル４７３は、その先端に設けられたビデ洗浄吐水口４７４ｃから水を噴射して、便座２００に座った女性の女性局部を洗浄することができる。なお、本願明細書において「水」という場合には、冷水のみならず、加熱されたお湯も含むものとする。
【００２０】
「おしり」を洗浄するモードのなかには、例えば、「おしり洗浄」と、「おしり洗浄」よりもソフトな水流で優しく洗浄する「やわらか洗浄」と、が含まれる。ノズル４７３は、例えば、「おしり洗浄」と、「やわらか洗浄」と、「ビデ洗浄」と、を実行することができる。
【００２１】
なお、図１に表したノズル４７３では、ビデ洗浄吐水口４７４ｃがやわらか洗浄吐水口４７４ｂよりもノズル４７３の先端側に設けられており、やわらか洗浄吐水口４７４ｂがおしり洗浄吐水口４７４ａよりもノズル４７３の先端側に設けられているが、おしり洗浄吐水口４７４ａ、やわらか洗浄吐水口４７４ｂ、及びビデ洗浄吐水口４７４ｃの設置位置は、これだけに限定されるわけではない。また、図１に表したノズル４７３では、３つの吐水口が設けられているが、例えば、やわらか洗浄吐水口４７４ｂが省略されていてもよいし、４つ以上の吐水口が設けられていてもよい。
【００２２】
実施形態において、おしり洗浄吐水口４７４ａの吐水角度、やわらか洗浄吐水口４７４ｂの吐水角度、及びビデ洗浄吐水口４７４ｃの吐水角度は、例えば、それぞれ異なる。吐水角度は、例えば、便器８００の上面と吐出された水とのなす角度（劣角）である。おしり洗浄吐水口４７４ａの吐水角度は、例えば、４３度程度である。やわらか洗浄吐水口４７４ｂの吐水角度は、例えば、４３度程度である。ビデ洗浄吐水口４７４ｃの吐水角度は、例えば、４７度程度である。
【００２３】
図２は、実施形態に係る衛生洗浄装置の要部構成を模式的に表すブロック図である。  
図２では、水路系と電気系の要部構成を併せて表している。  
図２に表したように、衛生洗浄装置１００は、導水部２０を有する。導水部２０は、水道や貯水タンクなどの給水源１０からノズル４７３に至る管路２０ａを有する。導水部２０は、管路２０ａにより、給水源１０から供給された水をノズル４７３に導く。管路２０ａは、例えば、以下に説明する電磁弁４３１、熱交換器ユニット４４０、流路切替部４７２などの各部と、これらの各部を接続する複数の配管と、によって形成される。
【００２４】
導水部２０の上流側には、電磁弁４３１が設けられている。電磁弁４３１は、開閉可能な電磁バルブであり、ケーシング４００の内部に設けられた制御部４０５からの指令に基づいて水の供給を制御する。換言すれば、電磁弁４３１は、管路２０ａを開閉する。電磁弁４３１を開状態にすることにより、給水源１０から供給された水が、管路２０ａに流れる。
【００２５】
電磁弁４３１の下流には、調圧弁４３２が設けられている。調圧弁４３２は、給水圧が高い場合に、管路２０ａ内の圧力を所定の圧力範囲に調整する。調圧弁４３２の下流には、逆止弁４３３が設けられている。逆止弁４３３は、管路２０ａ内の圧力が低下した場合などに、逆止弁４３３よりも上流側への水の逆流を抑制する。
【００２６】
逆止弁４３３の下流には、熱交換器ユニット４４０（加熱部）が設けられている。熱交換器ユニット４４０は、ヒータを有し、給水源１０から供給された水を加熱して例えば規定の温度まで昇温する。すなわち、熱交換器ユニット４４０は、温水を生成する。
【００２７】
熱交換器ユニット４４０は、例えばセラミックヒータなどを用いた瞬間加熱式（瞬間式）の熱交換器である。瞬間加熱式の熱交換器は、貯湯タンクを用いた貯湯加熱式の熱交換器と比較すると、短い時間で水を規定の温度まで昇温させることができる。なお、熱交換器ユニット４４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００２８】
熱交換器ユニット４４０は、制御部４０５と接続されている。制御部４０５は、例えば、使用者による操作部５００の操作に応じて熱交換器ユニット４４０を制御することにより、操作部５００で設定された温度に水を昇温する。
【００２９】
熱交換器ユニット４４０の下流には、流量センサ４４２が設けられている。流量センサ４４２は、熱交換器ユニット４４０から吐出された水の流量を検知する。すなわち、流量センサ４４２は、管路２０ａ内を流れる水の流量を検知する。流量センサ４４２は、制御部４０５に接続されている。流量センサ４４２は、流量の検知結果を制御部４０５に入力する。
【００３０】
流量センサ４４２の下流には、電解槽ユニット７００が設けられている。電解槽ユニット７００は、内部を流れる水道水を電気分解することにより、水道水から次亜塩素酸を含む液（機能水）を生成する。電解槽ユニット７００は、制御部４０５に接続されている。電解槽ユニット７００は、制御部４０５による制御に基づいて、機能水の生成を行う。
【００３１】
電解槽ユニット７００において生成される機能水は、例えば、銀イオンや銅イオンなどの金属イオンを含む溶液であってもよい。あるいは、電解槽ユニット７００において生成される機能水は、電解塩素やオゾンなどを含む溶液であってもよい。あるいは、電解槽ユニット７００において生成される機能水は、酸性水やアルカリ水であってもよい。
【００３２】
電解槽ユニット７００の下流には、バキュームブレーカ（ＶＢ）６００が設けられている。バキュームブレーカ６００は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ６００は、導水部２０に水の流れが無い時に、管路２０ａ内に空気を取り込む。弁機構には、例えば、フロート弁が用いられる。バキュームブレーカ６００の構造については、後述する。
【００３３】
バキュームブレーカ６００は、上記のように管路２０ａ内に空気を取り込むことにより、例えば、管路２０ａのバキュームブレーカ６００よりも下流の部分の水抜きを促進させる。バキュームブレーカ６００は、例えば、ノズル４７３の水抜きを促進する。このように、バキュームブレーカ６００は、ノズル４７３内の水を抜いてノズル４７３内に空気を取り込むことにより、例えば、ノズル４７３内の洗浄水やボウル８０１内に溜まった汚水などが、給水源１０（上水）側に逆流してしまうことを抑制する。
【００３４】
バキュームブレーカ６００の下流には、電磁ポンプ４５４が設けられている。電磁ポンプ４５４は、導水部２０の管路２０ａ内の水の流れに脈動または加速を与え、ノズル４７３のおしり洗浄吐水口４７４ａ、やわらか洗浄吐水口４７４ｂ、及びビデ洗浄吐水口４７４ｃやノズル洗浄部４７８の吐水部から吐水される水に脈動を与える。すなわち、電磁ポンプ４５４は、管路２０ａ内を流れる水の流動状態を変動させる。電磁ポンプ４５４は、制御部４０５に接続されている。電磁ポンプ４５４は、制御部４０５による制御に基づいて、水の流動状態を変動させる。電磁ポンプ４５４は、管路２０ａ内の水の圧力を変動させる。
【００３５】
電磁ポンプ４５４の下流には、流量調整部４７１が設けられている。流量調整部４７１は、水勢（流量）の調整を行う。流量調整部４７１の下流には、流路切替部４７２が設けられている。流路切替部４７２は、ノズル４７３やノズル洗浄部４７８への給水の開閉や切替を行う。流量調整部４７１及び流路切替部４７２は、１つのユニットとして設けてもよい。流量調整部４７１及び流路切替部４７２は、制御部４０５に接続されている。流量調整部４７１及び流路切替部４７２の動作は、制御部４０５によって制御される。
【００３６】
流路切替部４７２の下流には、ノズル４７３、ノズル洗浄部４７８、及び噴霧ノズル４７９が設けられている。ノズル４７３は、モータ４７６からの駆動力を受け、便器８００のボウル８０１内に進出したり、ボウル８０１内から後退したりする。
【００３７】
ノズル洗浄部４７８は、例えば、吐水部から機能水あるいは水を噴射することにより、ノズル４７３の外周表面（胴体）を洗浄する。噴霧ノズル４７９は、洗浄水や機能水をミスト状にしてボウル８０１に噴霧する。この例では、人体を洗浄するためのノズル４７３とは別に噴霧ノズル４７９を設けている。これに限ることなく、ミスト状の液体をボウル８０１に噴霧するための吐水口をノズル４７３に設けてもよい。
【００３８】
また、流路切替部４７２の下流には、導水部２０を介して給水源１０から供給された水や電解槽ユニット７００において生成された機能水を、ノズル４７３に供給するおしり洗浄流路２１と、やわらか洗浄流路２２と、ビデ洗浄流路２３と、が設けられている。おしり洗浄流路２１は、流路切替部４７２とおしり洗浄吐水口４７４ａとを接続する。やわらか洗浄流路２２は、流路切替部４７２とやわらか洗浄吐水口４７４ｂとを接続する。ビデ洗浄流路２３は、流路切替部４７２とビデ洗浄吐水口４７４ｃとを接続する。
【００３９】
また、流路切替部４７２の下流には、表面洗浄流路２４と、噴霧用流路２５と、が設けられている。表面洗浄流路２４は、導水部２０を介して給水源１０から供給された水や電解槽ユニット７００において生成された機能水をノズル洗浄部４７８の吐水部へ導く。噴霧用流路２５は、導水部２０を介して給水源１０から供給される水や電解槽ユニット７００において生成された機能水を噴霧ノズル４７９に導く。
【００４０】
制御部４０５は、流路切替部４７２を制御することにより、おしり洗浄流路２１、やわらか洗浄流路２２、ビデ洗浄流路２３、表面洗浄流路２４、及び噴霧用流路２５の各流路の開閉を切り替える。このように、流路切替部４７２は、おしり洗浄吐水口４７４ａ、やわらか洗浄吐水口４７４ｂ、ビデ洗浄吐水口４７４ｃ、ノズル洗浄部４７８、及び噴霧ノズル４７９などの複数の吐水口のそれぞれについて、管路２０ａに連通させた状態と、管路２０ａに連通させない状態と、を切り替える。
【００４１】
制御部４０５は、電源回路４０１から電力を供給され、人体検知センサ４０３や、着座検知センサ４０４や、流量センサ４４２や、操作部５００などからの信号に基づいて、電磁弁４３１や、熱交換器ユニット４４０や、電解槽ユニット７００や、電磁ポンプ４５４や、流量調整部４７１や、流路切替部４７２や、モータ４７６などの動作を制御する。
【００４２】
人体検知センサ４０３は、図１に表したように、ケーシング４００の上面に形成された凹設部４０９に埋め込まれるように設けられ、便座２００に近づいた使用者（人体）を検知する。換言すれば、人体検知センサ４０３は、衛生洗浄装置１００の近傍にいる使用者を検知する。また、便蓋３００の後部には透過窓３１０が設けられている。そのため、便蓋３００が閉じた状態において、人体検知センサ４０３は、透過窓３１０を介して使用者の存在を検知することができる。制御部４０５は、例えば、人体検知センサ４０３による使用者の検知に応答して、便蓋３００を自動的に開く。
【００４３】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００４４】
図３は、実施形態に係る衛生洗浄装置の局部洗浄ノズル周辺を模式的に表す斜視図である。  
図４は、実施形態に係る衛生洗浄装置の局部洗浄ノズル周辺を模式的に表す平面図である。  
図３及び図４では、ケースカバーを省略し、ケースプレート上に載置されたノズル４７３などを表している。  
図３及び図４に表したように、ノズル４７３は、ノズル４７３の下方に設けられたノズル支持部４８０により支持される。ノズル４７３は、ノズル支持部４８０の上面の傾斜に沿って移動（摺動）しながら、進出及び後退（進退）する。換言すれば、ノズル支持部４８０の上面の傾斜は、ノズル４７３の進退の軌道に沿う。この例では、ノズル支持部４８０の上面は、後方から前方に向かって、下方に傾斜している。なお、ノズル支持部４８０は、例えば、ノズル４７３を収納する筒状の部材であってもよい。
【００４５】
ノズル支持部４８０は、例えば、ネジ止めなどにより、ケースプレートに固定されている。この例では、ノズル支持部４８０は、４か所の固定部４８５がネジ止めされることによってケースプレートに固定されている。固定部４８５の数は、４か所に限定されず、３か所以下であってもよいし、５か所以上であってもよい。固定部４８５には、それぞれ防振部材４８６が設けられている。防振部材４８６は、モータ４７６や電磁ポンプ４５４の振動を吸収することで、振動がケースプレートなどに伝わることを抑制する。防振部材４８６は、振動を抑制することで、振動による音（騒音）の発生を抑制することができる。防振部材４８６は、例えば、防振ゴムである。
【００４６】
ノズル４７３は、ケーシング４００に収納された収納状態と、ケーシング４００から進出した進出状態と、を有する。ノズル４７３は、進出状態において、おしり洗浄吐水口４７４ａ、やわらか洗浄吐水口４７４ｂ、またはビデ洗浄吐水口４７４ｃから吐水することで、人体局部を洗浄する。なお、図３及び図４は、収納状態におけるノズル４７３を表している。
【００４７】
この例では、ノズル４７３は、第１筒部４７３ａと、第２筒部４７３ｂと、を有する多段ノズルである。第１筒部４７３ａは、ケーシング４００から進出する。第２筒部４７３ｂは、第１筒部４７３ａの内部に収納され、第１筒部４７３ａから進出する。このように、ノズル４７３を多段ノズルとすることで、ノズルユニットを前後方向に小型化することができる。これにより、ケーシング４００を前後方向に小型化することができる。なお、ノズル４７３は、多段ノズルに限定されない。ノズル４７３は、１つの筒部からなる一段ノズルであってもよい。
【００４８】
また、この例では、ノズル４７３は、上向きに凸となるように湾曲している。この場合、ノズル４７３は、円弧状の軌道に沿って進退する。このように、ノズル４７３を上向きに凸となるように湾曲した形状とすることで、ノズルユニットを上下方向に小型化することができる。これにより、ケーシング４００を上下方向に小型化することができる。なお、ノズル４７３は、湾曲しているものに限定されず、直線状のものであってもよい。
【００４９】
ノズル４７３には、ノズル４７３に水を供給するチューブ４７５が接続されている。チューブ４７５は、例えば、おしり洗浄流路２１、やわらか洗浄流路２２、及びビデ洗浄流路２３の少なくとも一部を構成する。
【００５０】
バキュームブレーカ６００は、ノズル４７３の側方に設けられている。また、バキュームブレーカ６００は、ノズル支持部４８０に一体的に取り付けられている。なお、本願明細書において、「一体的に取り付けられている」状態とは、例えば、固定されることで実質的に一体となった状態である。より具体的には、例えば、部材Ａが部材Ｂに一体的に取り付けられている状態において、部材Ｂは部材Ａに追従して動き、部材Ａは部材Ｂに追従して動く。すなわち、部材Ａが部材Ｂに一体的に取り付けられている状態において、部材Ａと部材Ｂとの相対的な位置関係（例えば、高低差など）は実質的に変化しない。また、部材Ａが部材Ｂに一体的に取り付けられている状態において、部材Ａの振動は部材Ｂに伝達され、部材Ｂの振動は部材Ａに伝達される。この例では、バキュームブレーカ６００は、ネジ止めにより、ノズル支持部４８０に固定されている。
【００５１】
このように、バキュームブレーカ６００をノズル支持部４８０に一体的に取り付けることで、バキュームブレーカ６００の空気を取り込む箇所（後述のシート部６０５）と４７３ノズルの吐水口（おしり洗浄吐水口４７４ａ、やわらか洗浄吐水口４７４ｂ、またはビデ洗浄吐水口４７４ｃ）との間の高低差を一定に保つことができる。これにより、流路内の水を排出するのに十分なヘッド圧を確保して、バキュームブレーカ６００の水抜き性能を安定させることができ、より確実に流路内の水を排出することができる。
【００５２】
また、ノズル４７３を駆動させるモータ４７６は、例えば、ノズル４７３の下方に設けられる。モータ４７６は、ノズル４７３の側方に設けられてもよい。モータ４７６は、ノズル支持部４８０に一体的に取り付けられている。この例では、モータ４７６は、ネジ止めにより、ノズル支持部４８０に固定されている。さらに、モータ４７６の振動を抑制する防振部材４８６は、ノズル支持部４８０に一体的に取り付けられている。この例では、防振部材４８６は、ノズル支持部４８０をケースプレートに固定するための４つの固定部４８５のそれぞれに設けられている。
【００５３】
このように、バキュームブレーカ６００が取り付けられたノズル支持部４８０に、モータ４７６及び防振部材４８６を一体的に取付けることで、防振部材４８６にかかる質量が大きくなり、防振部材４８６による防振性能を向上させることができる。これにより、防振部材４８６によってノズル４７３の駆動に伴うモータ４７６の騒音を抑制することができる。
【００５４】
また、近年、デザイン性向上のために、衛生洗浄装置１００の低シルエット化が求められている。衛生洗浄装置１００の低シルエット化を実現する手段として、バキュームブレーカ６００を低い位置に設けることが考えられる。しかし、バキュームブレーカ６００を低い位置に設けると、バキュームブレーカ６００の空気を取り込む箇所とノズル４７３の吐水口（おしり洗浄吐水口４７４ａ、やわらか洗浄吐水口４７４ｂ、またはビデ洗浄吐水口４７４ｃ）との間の高低差が小さくなり、流路内の水を排出するのに十分なヘッド圧を確保するのが難しくなるおそれがある。
【００５５】
これに対し、実施形態によれば、バキュームブレーカ６００が取り付けられたノズル支持部４８０に、モータ４７６及び防振部材４８６を一体的に取付けることで、モータ４７６の振動をバキュームブレーカ６００に伝え、この振動によってバキュームブレーカ６００による流路内の水の排出を促進させることができる。すなわち、衛生洗浄装置１００を低シルエット化しつつ、より確実に流路内の水を排出することができる。
【００５６】
また、電磁ポンプ４５４は、ノズル４７３の側方に設けられている。この例では、電磁ポンプ４５４は、左右方向において、ノズル４７３と電解槽ユニット７００との間に設けられている。また、電磁ポンプ４５４は、ノズル支持部４８０に一体的に取付けられている。この例では、電磁ポンプ４５４は、ネジ止めにより、ノズル支持部４８０に固定されている。
【００５７】
このように、防振部材４８６が取り付けられたノズル支持部４８０に電磁ポンプ４５４を一体的に取付けることで、防振部材４８６によって吐水時の騒音を抑制することができる。また、電磁ポンプ４５４の振動がバキュームブレーカ６００に伝わることで、バキュームブレーカ６００による流路内の水の排出をさらに促進させることができる。すなわち、衛生洗浄装置１００を低シルエット化しつつ、より確実に流路内の水を排出することができる。
【００５８】
図５は、実施形態に係る衛生洗浄装置のバキュームブレーカを模式的に表す分解斜視図である。  
図５に表したように、バキュームブレーカ６００は、第１蓋部６０１と、第２蓋部６０２と、ケース部６０３と、フロート部６０４と、シート部６０５と、整流部６０６と、を有する。
【００５９】
第１蓋部６０１及び第２蓋部６０２は、バキュームブレーカ６００の上部に設けられている。第１蓋部６０１は、第２蓋部６０２の上に設けられている。第２蓋部６０２は、フロート部６０４の上方への移動を規制するフロート規制部６０２ａを有する。また、第２蓋部６０２は、電解槽ユニット７００（後述の出水部７０３）と接続するための接続部６０２ｂを有する。
【００６０】
ケース部６０３は、バキュームブレーカ６００の下部に設けられている。ケース部６０３は、電解槽ユニット７００から供給された水が流れる第１流路６０３ａと、第１流路６０３ａから整流部６０６及びシート部６０５を通った水が流れる第２流路６０３ｂと、を有する。第２流路６０３ｂの下流側の端部には、第２流路６０３ｂの水をバキュームブレーカ６００の下流側に供給するための出水部６０３ｃが設けられている。
【００６１】
フロート部６０４、シート部６０５、及び整流部６０６は、第１蓋部６０１、第２蓋部６０２、及びケース部６０３により形成される空間の内部に収納されている。
【００６２】
フロート部６０４は、基部６０４ａと、基部６０４ａから上方に突出する突出部６０４ｂと、を有する。フロート部６０４は、水の流れに応じて上下に移動する。水が流れていない状態では、フロート部６０４は下がっており、基部６０４ａとフロート規制部６０２ａとの間に隙間ができる。バキュームブレーカ６００は、この状態において、基部６０４ａとフロート規制部６０２ａとの間から吸気する。一方、水が流れている状態では、フロート部６０４は上がっており、基部６０４ａとフロート規制部６０２ａとの間に隙間ができない。バキュームブレーカ６００は、この状態において、基部６０４ａとフロート規制部６０２ａとの間から吸気しない。このように、バキュームブレーカ６００は、流路に水が流れている時に吸気口を塞ぎ、水の流れの停止とともに吸気口を開放して流路内に空気を取り込む。
【００６３】
シート部６０５は、基部６０５ａと、基部６０５ａを上下方向に貫通する孔部６０５ｂと、孔部６０５ｂを囲むように設けられたリブ６０５ｃと、リブ６０５ｃの一部が切り欠かれた切り欠き部６０５ｄと、を有する。切り欠き部６０５ｄは、換言すれば、孔部６０５ｂを囲む位置において、リブ６０５ｃが設けられていない部分である。このような切り欠き部６０５ｄを設けることで、切り欠き部６０５ｄからバキュームブレーカ６００の上流側の流路内に空気を取り込むことができる。
【００６４】
リブ６０５ｃは、基部６０５ａから上方に突出する。リブ６０５ｃの上端は、フロート部６０４の下面（すなわち、基部６０４ａの下面）に当接してシート面ＳＦ（図７参照）を形成する。シート面ＳＦは、リブ６０５ｃの上端を含む水平面である。なお、リブ６０５ｃの上端部は、平坦面を有していなくてもよい。すなわち、シート面ＳＦは、リブ６０５ｃの上端を含む仮想的な面であってもよい。バキュームブレーカ６００は、例えば、流路内の水のうち、このシート面ＳＦよりも上方に位置する部分の水をノズル４７３から排出させる。シート面ＳＦの位置については、後述する。
【００６５】
整流部６０６は、傾斜面６０６ａを有している。傾斜面６０６ａは、ケース部６０３の第１流路６０３ａから供給された水をシート部６０５の孔部６０５ｂに向けて流す。
【００６６】
電解槽ユニット７００から第２蓋部６０２の接続部６０２ｂを介して供給された水（機能水）は、ケース部６０３の第１流路６０３ａ、整流部６０６の傾斜面６０６ａ、及びシート部６０５の孔部６０５ｂを通って、ケース部６０３の第２流路６０３ｂに流れ、ケース部６０３の出水部６０３ｃからバキュームブレーカ６００の下流側（例えば、電磁ポンプ４５４や流量調整部４７１など）に流れる。
【００６７】
図６は、実施形態に係る衛生洗浄装置のバキュームブレーカ及び電解槽ユニットを模式的に表す斜視図である。  
図７は、実施形態に係る衛生洗浄装置のバキュームブレーカ及び電解槽ユニットを模式的に表す断面図である。  
図６及び図７に表したように、バキュームブレーカ６００は、電解槽ユニット７００と接続されている。
【００６８】
電解槽ユニット７００は、本体部７０１と、入水部７０２と、出水部７０３と、を有する。入水部７０２は、電解槽ユニット７００の上流側の端部に位置する。入水部７０２は、例えば、流量センサ４４２や熱交換器ユニット４４０と接続される。本体部７０１は、入水部７０２の下流に設けられており、入水部７０２から供給された水道水を電気分解することにより、水道水から次亜塩素酸を含む液（機能水）を生成する。出水部７０３は、電解槽ユニット７００の下流側の端部に位置する。出水部７０３は、バキュームブレーカ６００の接続部６０２ｂと接続される。出水部７０３は、本体部７０１で生成された機能水をバキュームブレーカ６００に供給する。
【００６９】
バキュームブレーカ６００のシート面ＳＦは、電解槽ユニット７００の出水部７０３の下端ＬＥよりも低い位置に設けられている。出水部７０３の下端ＬＥは、管状の出水部７０３の内壁の下端である。出水部７０３の下端ＬＥは、例えば、出水部７０３の最低水位である。また、バキュームブレーカ６００のシート面ＳＦは、収納状態におけるノズル４７３のおしり洗浄吐水口４７４ａ、やわらか洗浄吐水口４７４ｂ、及びビデ洗浄吐水口４７４ｃの少なくともいずれかよりも低い位置に設けられている。
【００７０】
上流側から、電解槽ユニット７００、バキュームブレーカ６００、ノズル４７３の順で並ぶ流路構成において、バキュームブレーカ６００のシート面ＳＦが電解槽ユニット７００の出水部７０３の下端ＬＥよりも高い位置に設けられていると、バキュームブレーカ６００の下流側（ノズル４７３側）の流路内に残った水を排出することはできるものの、バキュームブレーカ６００の上流側に設けられた電解槽ユニット７００内に残った水は排出しにくい。また、電解槽ユニット７００が熱交換器ユニット４４０の下流に設けられている場合には、電解槽ユニット７００において湯（加熱された水）から機能水が生成されるため、スケールが発生しやすい。電解槽ユニット７００においてスケールが発生すると、電解槽ユニット７００の下流側の流路においてスケールが堆積し、流路が閉塞しやすい。
【００７１】
これに対し、実施形態によれば、バキュームブレーカ６００のシート面ＳＦを、電解槽ユニット７００の出水部７０３の下端ＬＥよりも低い位置に設けることで、バキュームブレーカ６００よりも下流側（ノズル４７３側）の流路内に残った水だけでなく、バキュームブレーカ６００の上流側に設けられた電解槽ユニット７００内に残った水も排出することができる。これにより、流路をより衛生的に保つことができるとともに、電解槽ユニット７００におけるスケールの発生による流路の閉塞を抑制することができる。また、バキュームブレーカ６００を低い位置に設けることで、ケーシング４００の上下方向の長さを小さくすることができる。すなわち、衛生洗浄装置１００をより低シルエット化することができる。
【００７２】
電解槽ユニット７００内に残った水のうち、シート面ＳＦよりも上方に位置する部分の水は、ヘッド圧により排出されやすい。したがって、本体部７０１を略水平に設けることで（すなわち、入水部７０２と出水部７０３の高低差を小さくすることで）、シート面ＳＦよりも上方に位置する部分の水が多くなり、電解槽ユニット７００内に残った水をより多く排出することができる。
【００７３】
また、例えば、電解槽ユニット７００の流路の直径を小さくすることで、サイフォンの原理により、電解槽ユニット７００内に残った水をより多く排出することができる。
【００７４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７５】
１０ 給水源、  ２０ 導水部、  ２０ａ 管路、  ２１ おしり洗浄流路、  ２２ やわらか洗浄流路、  ２３ ビデ洗浄流路、  ２４ 表面洗浄流路、  ２５ 噴霧用流路、  １００ 衛生洗浄装置、  ２００ 便座、  ３００ 便蓋、  ３１０ 透過窓、  ４００ ケーシング、  ４０１ 電源回路、  ４０３ 人体検知センサ、  ４０４ 着座検知センサ、  ４０５ 制御部、  ４０７ 排気口、  ４０８ 排出口、  ４０９ 凹設部、  ４３１ 電磁弁、  ４３２ 調圧弁、  ４３３ 逆止弁、  ４４０ 熱交換器ユニット、  ４４２ 流量センサ、  ４５４ 電磁ポンプ、  ４７１ 流量調整部、  ４７２ 流路切替部、  ４７３ ノズル、  ４７３ａ 第１筒部、  ４７３ｂ 第２筒部、  ４７４ａ おしり洗浄吐水口、  ４７４ｂ やわらか洗浄吐水口、  ４７４ｃ ビデ洗浄吐水口、  ４７５ チューブ、  ４７６ モータ、  ４７８ ノズル洗浄部、  ４７９ 噴霧ノズル、  ４８０ ノズル支持部、  ４８５ 固定部、  ４８６ 防振部材、  ５００ 操作部、  ６００ バキュームブレーカ、  ６０１ 第１蓋部、  ６０２ 第２蓋部、  ６０２ａ フロート規制部、  ６０２ｂ 接続部、  ６０３ ケース部、  ６０３ａ 第１流路、  ６０３ｂ 第２流路、  ６０３ｃ 出水部、  ６０４ フロート部、  ６０４ａ 基部、  ６０４ｂ 突出部、  ６０５ シート部、  ６０５ａ 、基部  ６０５ｂ 孔部、  ６０５ｃ リブ、  ６０５ｄ 切り欠き部、  ６０６ 整流部、６０６ａ 傾斜面、  ７００ 電解槽ユニット、  ７０１ 本体部、  ７０２ 入水部、  ７０３ 出水部、  ８００ 便器、  ８０１ ボウル、  ＳＦ シート面
【図１】
2020117921.tif 000003
【図２】
2020117921.tif 000004
【図３】
2020117921.tif 000005
【図４】
2020117921.tif 000006
【図５】
2020117921.tif 000007
【図６】
2020117921.tif 000008
【図７】
2020117921.tif 000009